(57)【要約】ストレーナー（１）は、液体が通過できる複数の開口（４）を有する基体（２）を備える。壁部（５）は、前記基体から離間する方向に延びて開口部を形成し、リップ（７）を有する。ストレーナーは、使用時に容器（８）と機能的に連結されて前記液体を受ける。容器は、底部（１２）と、上方に延びる壁部（１０）と、を有する。当該ストレーナーの前記基体が、使用時に前記容器の前記底部から離間して配置可能で、前記容器を第一空間（１３）と第二空間（１４）とに分割するように、リップは、前記容器の壁部と係合するように構成されている。第二空間は、使用時に抽出される製品を収容するよう構成されている。【選択図】図５
2015523123.tif 000002
【特許請求の範囲】
【請求項１】
液体が通過できる複数の開口を有する基体と、
前記基体から離間する方向に延びて開口部を形成する、リップを有する壁部と、
を備えるストレーナーであって、
当該ストレーナーは、使用時に容器と機能的に連結されて前記液体を受け、
前記容器は、底部と上方に延びる壁部とを有し、
当該ストレーナーの前記基体が、使用時に前記容器の前記底部から離間して配置可能で、前記容器を第一空間と第二空間とに分割するように、前記リップは、前記容器の前記壁部と係合するように構成され、
前記第二空間は、使用時に抽出される製品を収容するよう構成されている、
ストレーナー。
【請求項２】
前記リップは、使用時に、前記容器の前記壁部とシール係合可能である、
請求項１に記載のストレーナー。
【請求項３】
前記基体は１以上の突出部を有し、
前記突出部は、前記基体から離間する方向に延び、使用時に当該ストレーナーの前記基体を前記容器の前記底部から離間した位置に配置するよう構成されている、
請求項１に記載のストレーナー。
【請求項４】
前記基体と当該ストレーナーの前記壁部とは放射状に配置されている、
請求項１に記載のストレーナー。
【請求項５】
当該ストレーナーの前記基体は隆起部を有する、
請求項１に記載のストレーナー。
【請求項６】
前記複数の開口は前記隆起部に配置される、
請求項５に記載のストレーナー。
【請求項７】
当該ストレーナーの前記壁部は、周方向棚部を有する、
請求項１に記載のストレーナー。
【請求項８】
当該ストレーナーは、ディスポーザブルおよび／又はリサイクル可能な材料で製造されている、
請求項１に記載のストレーナー。
【請求項９】
前記複数の開口は穿孔である、
請求項１に記載のストレーナー。
【請求項１０】
前記複数の開口は、当該ストレーナーの中心から径方向に離間する方向に延びるスリットである、
請求項４に記載のストレーナー。
【請求項１１】
前記スリットは、開口と、該開口を部分的に覆うカバーと、を有する、
請求項１０に記載のストレーナー。
【請求項１２】
前記リップは、間隔を空けて配置された複数の切り欠きを有する、
請求項１に記載のストレーナー。
【請求項１３】
前記壁部は、当該ストレーナーの下面に溝を形成するよう間隔を空けて配置された複数のリブを有する、
請求項１に記載のストレーナー。
【請求項１４】
前記基体は、該基体から離間する方向に延びる１以上の突出部を有し、少なくとも１つの前記開口が前記突出部を通って延びる、
請求項１に記載のストレーナー。
【請求項１５】
前記基体は、複数の前記突出部と、該複数の前記突出部を通って延びる、該複数の前記突出部に対応する前記開口と、を有する、
請求項１４に記載のストレーナー。
【発明の詳細な説明】
【技術分野】
【０００１】
本発明は、ストレーナーに関し、特に茶等の飲料のためのストレーナーに関する。
【背景技術】
【０００２】
茶やコーヒー等の飲料は、世界中でよく飲まれている。茶やコーヒーは、典型的には、原材料のまま挽かれた状態で個別に包装されて、又はコーヒーバッグやティーバッグ等に入れられて、販売されている。ルーズリーフの（ティーバックに入れられていない茶葉の）茶を飲む場合、例えば、ストレーナーが典型的にはカップ等の容器の上部に保持されて、ルーズリーフの茶を保持するストレーナーを通じて湯等の液体が注がれ、茶が煎じられる、つまり、お茶が湯に抽出（brew）される。またストレーナーにより、茶葉が入ることなく、茶がカップへと流れ込むことができる。ティーポット等においては、ルーズリーフの茶は、典型的にはポット内に置かれ、煎じ出された茶がカップへと注がれる。ある場合には、茶葉を保持するために抽出器がティーポット内に配置される。茶を淹れるこれらの方法は、一般に有効であるが、カフェやレストラン等における、持ち帰り用の茶のカップを考慮すると、これらの方法は時間がかかりすぎ、また不経済である。例えば、一人の使用者がお茶を淹れるために、ティーポットが丸ごと必要になるであろう。またこれらの方法では、典型的には、茶葉がカップに残る。
【０００３】
標準的なストレーナーが利用される場合、ストレーナーすなわち抽出器は、カップの上部に配置され、水位が三分の二以下になると、もはや茶は水に浸かることがなくなり、茶の水への拡散が制限される。このような装置があると、持ち帰り用の蓋等をカップに載せることができず、標準的な抽出器すなわちストレーナーを用いる場合、次の客の番が来る前に、客はお茶が出るまで待たなくてはならず、客やカフェのオーナーの時間を浪費することになる。同様に、ティーバッグは茶のカップに残されたままとなってしまい、異なるタイプの茶がある場合には特定のティーバッグが選択される必要がある。また、ティーバッグは容器の上部に固定されず、したがって標準的な持ち帰り用カップ内では、ティーバッグが蓋の飲み口を塞いでしまうことが起こりがちである。また、ティーバッグを利用するのは面倒であり、また人気のある種類の茶しかティーバッグとして製造されない。すなわち、消費者は茶の選択肢が限られるとともに、ティーバッグを自分で後始末する必要がある。現在の、カップで茶を提供する、特に茶を持ち帰りで提供する方法は、非常に時間がかかる。時間と速さは、繁忙なカフェの環境では最も重要である。
【発明の概要】
【発明が解決しようとする課題】
【０００４】
したがって、ユーザがあらゆる種類のルーズリーフの茶を選ぶことができる持ち帰り用のティーカップ、およびその茶を十分に抽出できるティーカップが必要とされている。また、消費者にすぐに手渡すことができる持ち帰り用の茶のカップ、および、客と提供者とが待つことなく茶を続けて淹れることが必要とされている。
【０００５】
本発明は、従来技術の１以上の欠点を十分に克服もしくは少なくとも改善すること、又は、少なくとも実用的な代替物を提供することを目的とする。
【課題を解決するための手段】
【０００６】
ここでは、ストレーナーは、液体が通過できる複数の開口を有する基体と、前記基体から離間する方向に延びて開口部を形成する、リップを有する壁部と、を備える。前記ストレーナーは、使用時に容器と機能的に連結されて前記液体を受ける。前記容器は、底部と、上方に延びる壁部とを有する。前記ストレーナーの前記基体が、使用時に前記容器の前記底部から離間して配置可能で、前記容器を第一空間と第二空間とに分割するように、前記リップは、前記容器の前記壁部と係合するよう構成にされる。前記第二空間は、使用時に、抽出される製品を収容するよう構成されている。
【０００７】
好ましくは、前記リップは、使用時に、前記容器の前記壁部とシール係合可能である。
【０００８】
好ましくは、前記基体は１以上の突出部を有し、突出部は、前記基体から離間する方向に延び、使用時に前記ストレーナーの前記基体を前記容器の前記底部から離間した位置に配置するよう構成されている。
【０００９】
好ましくは、前記基体と前記ストレーナーの壁部とは放射状に配置されている。
【００１０】
好ましくは、前記ストレーナーの前記基体は隆起部を有する。
【００１１】
好ましくは、前記複数の開口は前記隆起部に配置される。
【００１２】
好ましくは、前記ストレーナーの前記壁部は、周方向棚部を有する。
【００１３】
好ましくは、前記ストレーナーは、ディスポーザブルおよび／又はリサイクル可能な材料で製造されている。
【００１４】
好ましくは、前記複数の開口は穿孔（perforation）である。
【００１５】
好ましくは、前記複数の開口は、前記ストレーナーの中心から径方向に離間する方向に延びるスリットである。
【００１６】
好ましくは、前記スリットは、開口と、前記開口を部分的に覆うカバーと、を有する。
【００１７】
好ましくは、前記リップは、間隔を空けて配置された複数の切り欠きを有する。
【００１８】
好ましくは、前記壁部は、前記ストレーナーの下面に溝を形成するよう間隔を空けて配置された複数のリブを有する。
【００１９】
好ましくは、前記基体は、前記基体から離間する方向に延びる１以上の突出部を有し、少なくとも１つの前記開口が前記突出部を通って延びる。
【００２０】
好ましくは、前記基体は、複数の突出部と、該複数の突出部を通って延設される該複数の突出部に対応する開口と、を有する。
【図面の簡単な説明】
【００２１】
【図１】本発明の一実施形態に係る上面図である。
【図２】図１の底面図である。
【図３】図１の正面図である。
【図４】図１の側面図である。
【図５】図１の上から見た等角投影図である。
【図６】図１の下から見た等角投影図である。
【図７】図１の使用時における等角投影図である。
【図８】本発明の他の実施形態の上から見た斜視図である。
【図９】図８の上面図である。
【図１０】図９の側面図である。
【図１１】図９の底面図である。
【図１２】図８の下から見た斜視図である。
【図１３】図１２の上から見た斜視図である。
【図１４】図９のＢ−Ｂに沿った断面図である。
【図１５】本発明の他の実施形態である。
【図１６ａ】本発明の他の実施形態である。
【図１６ｂ】本発明の他の実施形態である。
【図１６ｃ】本発明の他の実施形態である。
【図１６ｄ】本発明の他の実施形態である。
【図１６ｅ】本発明の他の実施形態である。
【図１６ｆ】本発明の他の実施形態である。
【図１７ａ】本発明の他の実施形態である。
【図１７ｂ】本発明の他の実施形態である。
【図１７ｃ】本発明の他の実施形態である。
【図１７ｄ】本発明の他の実施形態である。
【図１７ｅ】本発明の他の実施形態である。
【図１７ｆ】本発明の他の実施形態である。
【図１８ａ】本発明の他の実施形態である。
【図１８ｂ】本発明の他の実施形態である。
【図１８ｃ】本発明の他の実施形態である。
【図１８ｄ】本発明の他の実施形態である。
【図１８ｅ】本発明の他の実施形態である。
【図１８ｆ】本発明の他の実施形態である。
【発明を実施するための形態】
【００２２】
ここでは、水等の液体が通過できる複数の開口４が配置された基体２を備えたストレーナー１を開示する。液体は、熱くても冷たくてもよい。開口４は、孔、スリット、スロット、穿孔（perforation）等の態様とできる。壁部５は、基体２から離間する方向に延びて開口部６を形成し、リップ７を有する。ロゴ７１等を基体２に配置してもよい。ストレーナー１は、使用時に容器８と機能的に連結されて液体を受ける。図７に示すように、使用時に、ストレーナー１が使用時の容器８の底部１２の上方に配置可能になるよう、リップ７は、容器８の壁部１０と係合するように構成される。一実施形態におけるストレーナー１の基体２は、基体２から離間する方向に延び、容器８の底部１２から離間した位置にストレーナー１の基体２を配置することを補助するよう構成される１以上の突出部２０（すなわち脚部）を有する。ストレーナー１は、使用時に容器８を第一空間１３と第二空間１４とに分割するよう構成される。使用時に、茶、コーヒー等は、第二空間１４に配置可能であり、使用時にストレーナー１と底部１２との間に配置される。好ましい態様において、容器８は、標準的な持ち帰り用のコーヒーカップ又はティーカップであり、ストレーナー１の基体２および壁部５は、このようなコーヒー／ティーカップ８内に取り付けられるよう、放射状に配置され、すなわち円形である。しかしながら、任意の容器８を利用可能で、ストレーナー１を取り付けられるように製造できる。例えば、ストレーナー１は、種々の形状のティーポットに取り付けられるよう形成することができる。ストレーナー１は、使用後に取り外し可能とすること、又は、定位置に固定することが可能で、容器８の底部１２と接する必要はない。基体２は、さらに、容器８内での茶等の抽出を補助するよう構成される１以上の隆起部２５を有する。同様に、壁部５は、茶の抽出を補助し、輸送時にストレーナー１を積み重ねることを可能とし、リップ７が容器８の壁部１０をシールすることを補助する、１以上の棚部や段差部３０等を有することができる。リップ７は、可撓性又は剛性を有するものとすることができ、基体２の材料と同じ材料又は異なる材料から製造することができる。
【００２３】
図９〜図１５に、本発明の他の実施形態を示す。この実施形態において、開口４は、ストレーナー１の中心Ａから径方向に離間するように延びる複数のスロットの態様である。図１６に示すように、スロット４は、開口４を通る液体の流れを部分的に乱すカバー５０を有することができる。この構成により、茶葉等がストレーナー１を通過して第一空間１３へと移動するのを防止しながら、初めにストレーナー１の下方の第二空間１４にある空気の除去を補助することが分かった。この点に関して、ストレーナー１の周囲で液体および空気の移動を補助し、抽出プロセスを向上するために、リップ７および壁部５も、複数の切れ目、スリット、切り欠き又は溝５２，５３を有することができる。ストレーナー１はまた、ストレーナー１に構造健全性を加えるために、複数のリブ５４を有することもできる。図８から、切り欠き５３がダイヤモンド形状であることが分かる。図１５から、溝５４が三角形状であることが分かる。
【００２４】
図１６ａ〜図１６ｆに、本発明の他の実施形態を示す。開口４は、特にこの態様において突起７０の端部に配置される。突起７０は、間隔を空けて配置された基部を有し頂部へと上方に延びる円錐形状であり、突起７０の一方の端部は小さく、他方の端部は大きく、これにより、茶葉等が第二空間１４から第一空間１３へと移動するのを防止しながら、液体がストレーナー１を通過する際の流体動態を向上できる利点がある。図から分かるように、突起７０は、中心Ａに対して、基体２の周りに、ほぼ均等な間隔を空けて配置される。しかしながら、突起７０を、任意のランダムな配置又はランダムでない配置とでき、そして任意の形状とできる。壁部５およびリップ７は、一体に形成された切り欠き５２，５３を有する（例えば図１２では別々の切り欠きである）。図１６ａ〜図１６ｆに示す実施形態はまた、溝およびリブ５４も有する。繰り返すが、これらの溝およびリブ５４は、ストレーナー１の周囲に均等に間隔をあけて配置することができるが、流体・空気動態を向上するために、ランダムな配置又はランダムでない配置とでき、様々な形状とできる。
【００２５】
図１７ａ〜図１７ｆに示す実施形態において、開口４は、細長いスリットの態様である。スリット４は中心Ａから径方向に延び、その長さは種々の長さとできる。また、スリットは、「破線状の」パターンを形成するよう、同じ線に沿って断続的にすることもできる。図示のスリット状の開口４は、基体２に均等に又は不均等に間隔を空けて配置することができる。図示のストレーナーは、１つの特徴である切り欠き５２，５３も有しており、図示するように、溝およびリブ５４も有する。
【００２６】
図１８ａ〜図１８ｆに示す実施形態において、開口４は、複数の微小な孔（ピンホール）等の態様である。概略的に図示したこれらの孔４は、中心Ａから径方向に延設されるが、基体２全体に均等に又は不均等に配置することができる。壁部５およびリップ７は、図示されるように１つの特徴である切り欠き５２，５３を有し、ストレーナー１に安定性を与え、空気・液体の動態を補助するよう、溝およびリブ５４も有している。
【００２７】
使用時に、ストレーナー１は、カフェやレストラン等で利用され、客に、茶やコーヒー等の持ち帰り用のカップと共に提供される。このような抽出方法には、客が各自のコーヒー豆や茶葉等を選択することを含み、そしてコーヒー豆、茶葉等は持ち帰り用のカップ８の底部１２に配置される。その後、ストレーナー１が、カップ８へ挿入され、第二空間１４に配置される豆や葉等の上部を覆うようにカップ８の底部１２に向かって配置される。その後、水等の液体がカップ８に加えられて、水はストレーナー１の開口４を通って第一空間１３および第二空間１４へと流れ込む。持ち帰り用のコーヒーのカップでは典型的には、カップ８の蓋（図示せず）が定位置に配置される。これで、客は、ほんの数秒で準備された、持ち帰り用の茶又はコーヒーを手に入れる。ストレーナー１のこの特定の形状により、客がカフェにいなくても、ストレーナー１と容器８の底部１２との間に配置されたコーヒーや茶を継続的に抽出できる。したがって、客がカフェを素早く移動し、提供者による他の客への提供が遅れることがなくなる。
【００２８】
好ましい実施形態において、ストレーナー１は、他のストレーナー１を効率的に入れ子状態にできる。これにより、包装および出荷を改善できる。開口４により、お茶等を煎じ、カップ８内へと還流させ、カップ８のあちこちに流したりすることができる。開口４は、製造しやすいよう、典型的には基体２の平坦面に限定される。しかしながら、壁部５、脚部２０、リップ７等の他の面が開口４を有してもよい（例えば図６参照）。また、開口４を、図１２に示す基体２から壁部５へと延ばすこともできる。図７に示すように、ストレーナー１は、突出部すなわち脚部２０によって三点で、典型的なコーヒーカップ８の底部１２に接触できる。しかしながら、脚部２０を１つとすることも、多くすることも、又は脚部を有さないようにすることもできる。例えば図１２のように、脚部２０は、ストレーナー１の全周囲に延設される。脚部２０は、茶、水又は空気がカップ８の全体にわたってあちこちを循環して、抽出プロセス中に滞留場所（デッドスポット）ができないよう、隙間４０を形成する。図７において、脚部２０は、容器８の壁部１０から離間して配置されている。しかしながら、脚部を、壁部１０と同じ面に配置することもできる。またリップ７も、図９〜図１５に示す通り、脚部を用いる必要がないよう、十分に設計することもできる。ストレーナー１は任意の材料で形成できるが、好ましい態様においては、生物分解性材料又はリサイクル可能な材料で形成できる。またストレーナー１を、容器８と同じ材料で形成することもできる。表面処理が良好で、安価で容易に製造できることが好ましい。空気が抜けるのを可能にしながら、典型的な茶葉等がストレーナー１を越えてカップ８の一般的な収容部（空間１３）へと移動しないよう、開口４のサイズを十分に小さくすることが好ましい。
【００２９】
本発明が具体例を参照して説明されたが、本発明を他の多くの態様で実施できることは理解されよう。
【図１】
2015523123.tif 000003
【図２】
2015523123.tif 000004
【図３】
2015523123.tif 000005
【図４】
2015523123.tif 000006
【図５】
2015523123.tif 000007
【図６】
2015523123.tif 000008
【図７】
2015523123.tif 000009
【図８】
2015523123.tif 000010
【図９】
2015523123.tif 000011
【図１０】
2015523123.tif 000012
【図１１】
2015523123.tif 000013
【図１２】
2015523123.tif 000014
【図１３】
2015523123.tif 000015
【図１４】
2015523123.tif 000016
【図１５】
2015523123.tif 000017
【図１６ａ】
2015523123.tif 000018
【図１６ｂ】
2015523123.tif 000019
【図１６ｃ】
2015523123.tif 000020
【図１６ｄ】
2015523123.tif 000021
【図１６ｅ】
2015523123.tif 000022
【図１６ｆ】
2015523123.tif 000023
【図１７ａ】
2015523123.tif 000024
【図１７ｂ】
2015523123.tif 000025
【図１７ｃ】
2015523123.tif 000026
【図１７ｄ】
2015523123.tif 000027
【図１７ｅ】
2015523123.tif 000028
【図１７ｆ】
2015523123.tif 000029
【図１８ａ】
2015523123.tif 000030
【図１８ｂ】
2015523123.tif 000031
【図１８ｃ】
2015523123.tif 000032
【図１８ｄ】
2015523123.tif 000033
【図１８ｅ】
2015523123.tif 000034
【図１８ｆ】
2015523123.tif 000035
【国際調査報告】
2015523123.tif 000036
2015523123.tif 000037
2015523123.tif 000038